(57)【要約】【課題】盤面の意匠による演出効果を大幅に向上させて遊技の興趣を盛り上げることのできるパチンコ遊技機を提供する。【解決手段】遊技盤の基板１１に設けられたセル板１２などの後側表示手段の前に、透明エレクトロルミネッセンスディスプレー（ＥＬＤ）１３を配設して、後側表示手段によって表示される図柄の上に、透明ＥＬＤ１３によって発光表示される図柄を重ねて表示する。なお、透明ＥＬＤ１３を遊技盤の前面窓枠に配設することができる。また、後側表示手段を図柄の表示状態が変更可能な液晶ディスプレーや回転ドラムを備えた可変表示部とし、これらの可変表示部の前に透明ＥＬＤ１３を配設してもよい。【選択図】　　図２
2004057473.tif 000002
【特許請求の範囲】
【請求項１】
遊技盤の盤面に備えられた後側表示手段の前に、透明エレクトロルミネッセンスディスプレーを配設して、後側表示手段によって表示される図柄の上に、透明エレクトロルミネッセンスディスプレーによって発光表示される図柄を重ねて表示するようにしたことを特徴とするパチンコ遊技機。
【請求項２】
透明エレクトロルミネッセンスディスプレーを遊技盤の前面窓枠に配設した請求項１に記載のパチンコ遊技機。
【請求項３】
後側表示手段を種々の図柄が描かれたセル板とし、このセル板の上に透明エレクトロルミネッセンスディスプレーを配設した請求項１に記載のパチンコ遊技機。
【請求項４】
後側表示手段を図柄の表示状態が変更可能な可変表示部とし、この可変表示部の前に透明エレクトロルミネッセンスディスプレーを配設した請求項１に記載のパチンコ遊技機。
【発明の詳細な説明】
【０００１】
【発明の属する技術分野】
本発明は、絵や文字などの図柄を表示する表示手段を備えたパチンコ遊技機に関するものである。
【０００２】
【従来の技術】
パチンコ遊技機の盤面は、意匠性を向上するためにベニヤ板よりなる基板上に種々の図柄が描かれたプラスチック製のいわゆるセル板が重ねられているが、このセル板の意匠はパチンコ遊技機の演出効果の向上と密接に関連するため図柄には種々の工夫が加えられる。しかしながら、セル板に描かれる図柄の形状や色彩などの意匠を凝らしても演出効果の向上には自ずから限界があった。また、従来のパチンコ遊技機においては、演出効果をさらに高めるためにランプを点滅させたり、効果音を発したり、役物に設けた表示画面を変動させたりしていたが、遊技者は長時間遊技を続行しているうちにこれらの刺激に慣れてしまいただ漫然と弾球を発射しているに過ぎないこともしばしばあった。このような状態では遊技者に十分な満足感や達成感を与えることはできない。したがって、パチンコ遊技機には遊技の興趣をさらに盛り上げて長時間遊技者を惹きつけることができる新規なパチンコ遊技機が待望されていた。
【０００３】
【発明が解決しようとする課題】
本発明は上記した従来の問題点を解決し、盤面の意匠による演出効果を大幅に向上させて遊技の興趣を盛り上げることのできるパチンコ遊技機を提供するためになされたものである。
【０００４】
【課題を解決するための手段】上記の課題を解決するためになされた本発明は、遊技盤の盤面に備えられた後側表示手段の前に、透明エレクトロルミネッセンスディスプレーを配設して、後側表示手段によって表示される図柄の上に、透明エレクトロルミネッセンスディスプレーによって発光表示される図柄を重ねて表示するようにしたことを特徴とするものである。
【０００５】
なお、透明エレクトロルミネッセンスディスプレーを遊技盤の前面窓枠に配設することができる。また、後側表示手段を種々の図柄が描かれたセル板とし、このセル板の上に透明エレクトロルミネッセンスディスプレーを配設することができ、また、後側表示手段を図柄の表示状態が変更可能な可変表示部とし、この可変表示部の前に透明エレクトロルミネッセンスディスプレーを配設することができる。
【０００６】
本発明のパチンコ遊技機は、遊技盤の盤面に備えられた後側表示手段の前に、透明エレクトロルミネッセンスディスプレーを配設して、後側表示手段によって表示される図柄の上に、透明エレクトロルミネッセンスディスプレーによって発光表示される図柄を重ねて表示するようにしたので、遊技の演出効果を大きく向上させることができる。
【０００７】
【発明の実施の形態】
以下に図面を参照しつつ本発明の好ましい実施形態を説明する。
図１、２は本発明の第１の実施形態であるパチンコ遊技機を示す図であって、ガイドレール１に囲まれた遊技盤２が上部に配設され、遊技盤２には可変表示部３を備えた役物４や羽根車５などの装飾物のほかに入賞口６やアウト玉回収口７が配置されている。遊技者は遊技盤２の下方に設けられた操作ハンドル８を回動することにより上皿９から供給された玉を遊技盤２内に打ち込んで遊技を行うことができる。
【０００８】
上記したパチンコ遊技機においては、ベニヤ板１１上に文字、模様、動物の絵などの種々の図柄が描かれたセル板１２が後側表示手段として貼着などされて固定されている。セル板１２は、図１１に示すように伝導紙などの裏打ち紙１９にセルロイド、キャブロイド、ＰＥＴ、メラミン樹脂などのシート２０が接合されたものである。そして、セル板１２の上には多数の画素からなりＸＹマトリックス電極を備えた透明エレクトロルミネッセンスディスプレー（以下、透明ＥＬＤと記す）１３が前側表示手段として配設されている。この透明ＥＬＤ１３は、図１０に示すようにプリント基板１７に設けた窓に配されていて、このプリント基板１７にはビスや釘などの金属部品により固定するための穴１８が設けられている。したがって、透明ＥＬＤ１３をセル板１２を挟んで釘などにより木製の基板１１に固定することができる。また、透明ＥＬＤ１３を表示される図柄に対応する適宜の形状とすることができるので、プリント基板１７に遊技釘（遊技盤２内にて玉の流下方向を変える釘）を打つこともできる。
【０００９】
図３に透明ＥＬＤ１３の構造を示す。この透明ＥＬＤ１３は、薄膜状の多結晶発光体よりなる発光層３１が透明材料よりなる絶縁層３２、３３によって挟まれており、絶縁層３２、３３の上には透明電極３４、３５が接合されており、さらに透明電極３４、３５の上にはカバーガラス３６とガラス基板３７とが接合されている。カバーガラス３６とガラス基板３７を除く透明ＥＬＤ１３主要部の厚みは約２μｍ程度と極薄であって、全体でも２ｍｍ程度の薄いものである。発光体として、母体ＺｎＳに発光中心としてＭｎ、Ｔｂを加えたものなどが用いられ、また、絶縁層としてはＳｉＯ２、Ｓｉ３Ｎ４などが用いられる。そして、透明電極としてＩＴＯ（Ｉｎｄｉｕｍ　Ｔｉｎ　Ｏｘｉｄｅ）を用いた場合には、透明ＥＬＤ１３は非発光時には通常の透明ガラスと同じように無色透明である。この透明ＥＬＤ１３は多数の画素に分割されていて電極がＸＹマトリックス状に配置されているうえに、赤、青、緑の薄膜エレクトロルミネッセンスが画素毎に配置されているので、透明電極３４、３５間に交流パルス電圧を印加することにより発光層３１が発光して、透明ＥＬＤ１３に絵や数字などの図柄をカラーで浮かび上がらせて表示することができる。したがって、セル板１２に描かれた背後の図柄に調和させて透明ＥＬＤ１３に図柄を発光表示することができるので、パチンコ遊技機の演出効果を大きく高めることができる。
【００１０】
上記したような透明ＥＬＤ１３は、図４、５に示すように保護用のガラス板１４などが嵌め込まれて通常は開放不可能なパチンコ遊技機の前面（遊技者側）窓枠に配設することができる。図４に示す状態においては透明ＥＬＤ１３はパチンコ遊技機前面のガラス板１４、１４の間に介装されており、図５に示す状態においては透明ＥＬＤ１３は保護用のガラス板１４の役目も兼ねていて、後面側のガラス板は省略されている。
【００１１】
また、図６〜９に示すように後側表示手段を図柄の表示状態が変更可能な可変表示部３とし、この可変表示部３の前に透明ＥＬＤ１３を配設することもできる。図６、７においては可変表示部３は役物４内に配設された液晶ディスプレー１５であって、この液晶ディスプレー１５の画面の前に透明ＥＬＤ１３が配置されている。また、図８、９において可変表示部３は縦横に３個づつ配置されて画面がスクロールされて変動するドラム１６を備えたものであって、このドラム１６の表示画面の前に透明ＥＬＤ１３が配置されている。したがって、図柄が変動して表示される後側表示手段の上に別の図柄を重ねて表示することができる。
【００１２】
なお、透明ＥＬＤ１３に表示される図柄をいわゆる大当たりに関連するものとすることによって、表示される図柄を遊技に直結したものとすることができて、遊技の演出効果を大幅に高めることができる。例えば、後側表示手段のある一列の３画面にＸ、Ｘ、Ｙなる図柄が表示されている場合に、Ｙが表示された画面に対応する透明ＥＬＤ１３上にＸが表示された場合に大当たりが発生するようにすれば、大当たりの発生する組み合わせに大きな変化を付けることができる。また、透明ＥＬＤ１３に表示される図柄を意味あるものとすることができるので、遊技者を飽きさせることなく長時間惹き付けることができる。
【００１３】
【発明の効果】
以上に説明したように、本発明のパチンコ遊技機は、遊技盤の盤面に備えられた後側表示手段の前に、透明ＥＬＤを配設して、後側表示手段によって表示される図柄の上に、透明ＥＬＤによって発光表示される図柄を重ねて表示するようにしたので、遊技の演出効果を大きく向上させることができる。また、透明ＥＬＤを遊技盤の前面窓枠に配設したり、後側表示手段を種々の図柄が描かれたセル板とし、このセル板の上に透明ＥＬＤを配設したり、後側表示手段を図柄の表示状態が変更可能な可変表示部とし、この可変表示部の前に透明ＥＬＤを配設することによっても遊技の演出効果を大きく向上させることができる。
したがって、本発明は、盤面の意匠による演出効果を向上させて遊技の興趣を大幅に盛り上げることができるという大きな利点を有するものである。
【図面の簡単な説明】
【図１】本発明の第１の実施形態であるパチンコ遊技機の正面図である。
【図２】セル板に透明ＥＬＤが接合されたパチンコ遊技機の要部断面図である。
【図３】透明ＥＬＤの構造の説明図である。
【図４】透明ＥＬＤが保護ガラス間に介装されたパチンコ遊技機の要部断面図である。
【図５】透明ＥＬＤが保護ガラスの後に配置されたパチンコ遊技機の要部断面図である。
【図６】透明ＥＬＤが液晶ディスプレーの前に配置されたパチンコ遊技機の正面図である。
【図７】図６の要部断面図である。
【図８】透明ＥＬＤがドラムの表示画面の前に配置されたパチンコ遊技機の正面図である。
【図９】図８の要部断面図である。
【図１０】プリント基板の説明図である。
【図１１】セル板の断面図である。
【符号の説明】
２　遊技盤
３　可変表示部
１１　基板
１２　セル板
１３　透明ＥＬＤ
【図１】
2004057473.tif 000003
【図２】
2004057473.tif 000004
【図３】
2004057473.tif 000005
【図４】
2004057473.tif 000006
【図５】
2004057473.tif 000007
【図６】
2004057473.tif 000008
【図７】
2004057473.tif 000009
【図８】
2004057473.tif 000010
【図９】
2004057473.tif 000011
【図１０】
2004057473.tif 000012
【図１１】
2004057473.tif 000013